(57)【要約】      （修正有）【課題】扉の貯蔵室側に取り付けられた収納庫に蓋体を設けた冷蔵庫において、使い勝手を損なうことなく収納庫の内部空間を効率的に利用することができる冷蔵庫を提供する。【解決手段】扉の貯蔵室側に取り付けられた収納庫は、前面に開口部４１が設けられた直方体状の本体４２と、開口部４１を開閉する蓋体４４と、蓋体４４の上部左右両端から本体４２へ向けて突出しスライド軸６０と、本体４２の上部前側に設けられ蓋体４４が開口部４１を閉塞する状態においてスライド軸６０が嵌る軸受部５０と、本体４２の上部に設けられ軸受部５０から後方に延びるガイド溝５２とを備え、蓋体４４は、開口部４１を閉塞する状態からスライド軸６０が軸受部５０内を回動して開口部４１を開放し、スライド軸６０がガイド溝５２を後方へ摺動して本体４２の上方に配置される。【選択図】図４
2015105756.tif 000002
【特許請求の範囲】
【請求項１】
前面が開口する断熱箱体の内部に形成された貯蔵室と、前記貯蔵室の前面開口を閉塞する扉と、前記扉の貯蔵室側に取り付けられた収納庫とを備え、
前記収納庫は、前面に開口部が設けられた直方体状の本体と、前記開口部を開閉する蓋体と、前記蓋体の上部左右両端から前記本体へ向けて突出するスライド軸と、前記本体の上部前側に設けられ前記蓋体が前記開口部を閉塞する状態において前記スライド軸が嵌る軸受部と、前記本体の上部に設けられ前記軸受部から後方に延びるガイド溝とを備え、
前記蓋体は、前記開口部を閉塞する状態から前記スライド軸が前記軸受部内を回動して前記開口部を開放し、前記スライド軸が前記ガイド溝を後方へ摺動して前記本体の上方に配置される冷蔵庫。
【請求項２】
前記蓋体は、左右両側縁に後方へ延びるフランジ部を備え、前記フランジから前記スライド軸が突出している請求項１に記載の冷蔵庫。
【請求項３】
前記扉は、貯蔵室側に前記本体を固定する取付手段を備える請求項１又は２に記載の冷蔵庫。
【請求項４】
前記本体は、前記開口部の下方に前記本体の底部から上方に立ち上がる壁部を備える請求項１〜３のいずれか１項に記載の冷蔵庫。
【請求項５】
前記蓋体が透明である請求項１〜４のいずれか１項に記載の冷蔵庫。
【請求項６】
前記扉は、貯蔵室側に前記本体を着脱可能に固定する取付手段を複数備える請求項１〜５のいずれか１項に記載の冷蔵庫。
【発明の詳細な説明】
【技術分野】
【０００１】
本発明の実施形態は、冷蔵庫に関する。
【背景技術】
【０００２】
冷蔵庫の貯蔵室を開閉する扉には、瓶や缶などの小物類等の収納物を収納するドアポケットが設けられている。このドアポケットに蓋体を取り付けて内部を閉塞した空間（収納庫）に仕切る場合があるが、このような場合、蓋体を支えながらドアポケット内の収納物を取り出す必要があり使い勝手を損なうおそれがある。また、フックなどにより蓋体を開いた状態に保持できるようにすることも考えられるが、蓋体が開いた状態で扉を閉扉すると、冷蔵庫本体のキャビネット等に蓋体が衝突して破損するおそれがある。
【０００３】
そこで、下記特許文献１では、両端がドアポケットの左右側壁に軸支され、前面がドアポケットの曲面に略合致する形状としたポケットカバーを設け、ドアポケットの開口部を開口させたとき、ポケットカバーがドアポケット上部の曲面に沿って収容される冷蔵庫が提案されている。
【０００４】
しかしながら、特許文献１の冷蔵庫では、ポケットカバーを回転させながらドアポケット上部に収納するため、ポケットカバーを曲面形状に設ける必要があり、ポケット内の空間を効率的に利用しにくいという問題がある。
【先行技術文献】
【特許文献】
【０００５】
【特許文献１】実開平４−１４９９２号公報
【発明の概要】
【発明が解決しようとする課題】
【０００６】
そこで、扉の貯蔵室側に取り付けられた収納庫に蓋体を設けた冷蔵庫において、使い勝手を損なうことなく収納庫の内部空間を効率的に利用することができる冷蔵庫を提供することを目的とする。
【課題を解決するための手段】
【０００７】
実施形態に係る冷蔵庫は、前面が開口する断熱箱体の内部に形成された貯蔵室と、前記貯蔵室の前面開口を閉塞する扉と、前記扉の貯蔵室側に取り付けられた収納庫とを備え、前記収納庫は、前面に開口部が設けられた直方体状の本体と、前記開口部を閉塞する蓋体と、前記蓋体の上部左右両端から前記本体へ向けて突出するスライド軸と、前記本体の上部前側に設けられ前記蓋体が前記開口部を閉塞する状態において前記スライド軸が嵌る軸受部と、前記本体の上部に設けられ前記軸受部から後方に延びるガイド溝とを備え、前記蓋体は、前記開口部を閉塞する状態から前記スライド軸が前記軸受部内を回動して前記開口部を開放し、前記スライド軸が前記ガイド溝を後方へ摺動して前記本体の上方に配置されることを特徴とする。
【図面の簡単な説明】
【０００８】
【図１】実施形態に係る冷蔵庫の扉を開放した状態を示す正面図である。
【図２】蓋体が開口部を閉塞した状態の収納庫の斜視図である。
【図３】蓋体が開口部を開放した状態の収納庫の斜視図である。
【図４】蓋体が開口部を開放した状態の収納庫の本体の側面図である。
【図５】図４のＡ−Ａ断面図である。
【発明を実施するための形態】
【０００９】
以下、図面に基づき一実施形態に係る冷蔵庫について説明する。
【００１０】
冷蔵庫１０の扉を開放した状態を示す正面図である図１に示すように、外郭を形成する外箱と貯蔵空間を形成する内箱との間に発泡断熱材を充填した断熱箱体からなる冷蔵庫本体１１を備える。
【００１１】
冷蔵庫本体１１の内部に形成される貯蔵空間は、仕切壁１２によって上下に区画され、仕切壁１２の上方に冷凍温度（例えば、−１８℃以下）に冷却される冷凍貯蔵室１４が配置され、仕切壁１２の下方に冷蔵温度（例えば、２〜４℃）に冷却される冷蔵貯蔵室１６が配置されている。冷凍貯蔵室１４の前面開口部は、冷凍扉１８によって閉塞され、冷蔵貯蔵室１６の前面開口部は、冷蔵扉２０によって閉塞されている。
【００１２】
閉扉時に冷蔵貯蔵室１６内に向く冷蔵扉２０の冷蔵貯蔵室側（冷蔵扉２０の庫内側）には、上面に開口する扁平な箱状をなした複数のドアポケット３０と、蓋体４４を備えて内部を閉塞した空間に仕切ることができる収納庫４０とが設けられている。
【００１３】
冷蔵扉２０の庫内側を構成する扉内板２０ａには、その左右両側部に冷蔵扉２０のほぼ全体にわたって上下方向に延びる一対の側部ビード２１と、一対の側部ビード２１の間において冷蔵扉２０の上部から中央部まで上下方向に延びる中央ビード２２とが冷蔵貯蔵室側に突出している。
【００１４】
一対の側部ビード２１と中央ビード２２との対向面、つまり、一対の側部ビード２１の内側面と、中央ビード２２の左右両側面には、冷蔵扉２０の庫内側にドアポケット３０及び収納庫４０を着脱可能に保持するための取付手段２４が複数箇所設けられており、これにより、使用者がドアポケット３０及び収納庫４０の配置を変更することができる。
【００１５】
収納庫４０は、図２〜５に示すように、前面に開口部４１が設けられた直方体状の収納庫本体４２と、収納庫本体４２に設けられた開口部４１を開閉する蓋体４４とを備える。
【００１６】
収納庫本体４２の前面には、底面４２ａから前壁部４２ｂが上方に立ち上がっており、前壁部４２ｂの上方に開口部４１が設けられている。収納庫本体４２の左右の側壁部４２ｃの上部には、外方に突出する鍔部４８が側壁部４２ｃの前後方向の全体にわたって設けられている。左右の側壁部４２ｃの下部には、外方に突出する鍔部４９が側壁部４２ｃの前後方向中央部から後端にかけて設けられている。
【００１７】
収納庫本体４２の側壁部４２ｃの上部、具体的には、上側の鍔部４８より上方位置には、収納庫本体４２の内方へ凹んだ軸受部５０とガイド溝５２が設けられている。軸受部５０は、側壁部４２ｃの上部前側に設けられ、後方に連続して設けられたガイド溝５２に繋がる溝状に設けられている。
【００１８】
この軸受部５０の下側の溝壁５０ａは、ガイド溝５２の下側の溝壁５２ａと連続して平坦に設けられ、軸受部５０の上側の溝壁５０ｂは、溝底から溝縁に向かうほど溝幅（上下方向の長さ）が広がり、かつ、ガイド溝５２との境界部分が後方から前方に向かうほど溝幅が広がる曲面形状をなしている。これにより、軸受部５０は、溝底の幅Ｗ２がガイド溝５２の溝幅と等しく、溝縁の幅Ｗ１が溝底の幅Ｗ２より幅広に設けられている（図４，５参照）。
【００１９】
収納庫本体４２の側壁部４２ｃに設けられた鍔部４８及び鍔部４９の後部下側には、下方に延びる係止部５４が設けられている。係止部５４は、冷蔵扉２０の扉内板２０ａに設けられた取付手段２４に嵌り込み、この状態で、鍔部４８及び鍔部４９が取付手段２４の上面で支持されることで、収納庫本体４２が冷蔵扉２０の庫内側に保持される。
【００２０】
蓋体４４は、収納庫本体４２の前面に設けられた開口部４１を覆う平板状の板部５６と、板部５６が図２に示すような開口部４１を閉塞する状態において板部５６の左右の側縁から後方へ突出する左右一対のフランジ部５８と、左右一対のフランジ部５８の対向面から内方へ突出するスライド軸６０と、板部５６の前面下部から前方へ突出する手掛け部６２とを備え、本実施形態では、透明樹脂により一体に成形されている。
【００２１】
蓋体４４のフランジ部５８に設けられたスライド軸６０は、図２及び図４の２点鎖線で示すような蓋体４４が収納庫本体４２の開口部４１を閉塞した状態において、収納庫本体４２の側壁部４２ｃの上部へ向けて突出し、収納庫本体４２の側壁部４２ｃの上部前側に設けられた軸受部５０に挿入されている。
【００２２】
蓋体４４が収納庫本体４２の開口部４１を閉塞した状態から、蓋体４４に設けられたスライド軸６０を収納庫本体４２の軸受部５０内で回動させながら、図４の実線で示すように蓋体４４を上方へ持ち上げて収納庫本体４２の開口部４１を開放する。
【００２３】
そして、蓋体４４を上方に持ち上げた状態から、更に、蓋体４４に設けられたスライド軸６０を軸受部５０の下側の溝壁５０ａ及びガイド溝５２の下側の溝壁５２ａに後方へ向けて摺動させながら、収納庫本体４２の上方において蓋体４４を後方へ向かって移動させる。
【００２４】
蓋体４４は、収納庫本体４２の上方へ移動すると収納庫本体４２の上面に保持され、開口部４１の開放状態が維持される。
【００２５】
また、蓋体４４が収納庫本体４２の開口部４１を開放した状態から開口部４１を閉塞するには、蓋体４４に設けられたスライド軸６０をガイド溝５２の下側の溝壁５２ａ及び軸受部５０の下側の溝壁５０ａに前方へ向けて摺動させながら、収納庫本体４２の上方において蓋体４４を前方へ向かって移動させて、スライド軸６０を軸受部５０内に配置させる。その後、軸受部５０内でスライド軸６０を回動させながら、図４の２点破線で示すように蓋体４４で開口部４１を閉塞する。
【００２６】
以上のような本実施形態では、蓋体４４が収納庫本体４２の開口部４１を閉塞する状態からスライド軸６０を軸受部５０内で回動させながら、蓋体４４を上方へ持ち上げて収納庫本体４２の開口部４１を開放し、その後、スライド軸６０が軸受部５０及びガイド溝５２内を後方へ向かって摺動することで、収納庫本体４２の上方に蓋体４４が配置された状態で保持される。
【００２７】
そのため、使用者は蓋体４４を支えながら収納庫本体４２内の収納物を出し入れする必要がなく、使い勝手を向上させることができるとともに、蓋体４４が開口部４１を開放した状態でも収納庫本体４２から前方に飛び出ることがないので、冷蔵扉２０の閉扉時に冷蔵庫本体１１に蓋体４４が衝突することもない。
【００２８】
しかも、収納庫本体４２が直方体状をなしているため、内部空間を効率的に利用することができる。
【００２９】
また、本実施形態では、収納庫本体４２の開口部４１を蓋体４４で開閉する際に、スライド軸６０を前後方向へ摺動させると、蓋体４４のフランジ部５８の先端が、収納庫本体４２の上側の鍔部４８の上面と所定の間隔をあけて対向しながら、蓋体４４は収納庫本体４２の上方を前後方向へ移動するため、蓋体４４の上下方向の位置が安定しスムーズに蓋体４４を前後方向へ移動させることができる。
【００３０】
また、収納庫本体４２は、底面４２ａから前壁部４２ｂが上方に立ち上がっており、前壁部４２ｂの上方に開口部４１が設けられているため、収納庫本体４２内の収納物が不用意に飛び出すことがない。
【００３１】
また、蓋体４４が透明であるため、収納庫本体４２の開口部４１を蓋体４４で閉塞した状態であっても使用者が収納物を容易に視認できる。
【００３２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３３】
１０…冷蔵庫、１１…冷蔵庫本体、１２…仕切壁、１４…冷凍貯蔵室、１６…冷蔵貯蔵室、１８…冷凍扉、２０…冷蔵扉、２０ａ…扉内板、２１…側部ビード、２２…中央ビード、２４…取付手段、３０…ドアポケット、４０…収納庫、４１…開口部、４２…収納庫本体、４２ａ…底面、４２ｂ…前壁部、４２ｃ…側壁部、４４…蓋体、４８…鍔部、４９…鍔部、５０…軸受部、５０ａ…溝壁、５０ｂ…溝壁、５２…ガイド溝、５２ａ…溝壁、５４…係止部、５６…板部、５８…フランジ部、６０…スライド軸、６２…手掛け部
【図１】
2015105756.tif 000003
【図２】
2015105756.tif 000004
【図３】
2015105756.tif 000005
【図４】
2015105756.tif 000006
【図５】
2015105756.tif 000007